【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
オーディオエンコーダにおいて、エンコーディングがコンピュータにより実施される方法であって、
マルチチャネルオーディオデータを受け取ることと、
前記オーディオデータに対して前処理マルチチャネル変換を実行することであって、ここで前記エンコーダが、品質を制御するために前記エンコーディング中に前記変換を変更することと
を含むことを特徴とする方法。
【請求項２】
前記変換は、時間領域で実行されることを特徴とする請求項１に記載の方法。
【請求項３】
前記オーディオデータに対して第２マルチチャネル変換を実行することをさらに含み、前記第２マルチチャネル変換は、周波数領域で実行されることを特徴とする請求項１に記載の方法。
【請求項４】
前記エンコーダは、品質がとにかく低い時に相互チャネル相関性を増やすことによって、前記オーディオデータの複雑さを減らすように前記変換を変更することを特徴とする請求項１に記載の方法。
【請求項５】
前記エンコーダは、前記エンコーディング中に少なくとも部分的に品質測定値に基づいて前記変換を変更することを特徴とする請求項１に記載の方法。
【請求項６】
前記変換は、前記品質測定値に比例して変化する少なくとも１つの要素を有する行列を使用することを特徴とする請求項５に記載の方法。
【請求項７】
前記エンコーダは、変遷全体にわたって前記変換に関する複数の行列をブレンドすることを特徴とする請求項１に記載の方法。
【請求項８】
前記エンコーダは、前記オーディオデータの一部について、単位行列を使用すること、
または変換を実行しないことによって、前記変換を変更することを特徴とする請求項１に記載の方法。
【請求項９】
前記エンコーダは、フレームごとに前記変換を変更することを特徴とする請求項１に記載の方法。
【請求項１０】
オーディオエンコーダにおいて、コンピュータにより実施される方法であって、
マルチチャネルオーディオデータを受け取ることと、
前記オーディオデータに対して第１マルチチャネル変換を実行することと、
オーディオデコーダが１つまたは複数のファントムチャネルを構成できるようにするために、第２マルチチャネル変換を示す情報を出力することと
を含むことを特徴とする方法。
【請求項１１】
前記第１マルチチャネル変換は、時間領域で実行される前処理マルチチャネル変換であることを特徴とし、前記第２マルチチャネル変換は、時間領域で実行される後処理マルチチャネル変換であることを特徴とする請求項１０に記載の方法。
【請求項１２】
前記エンコーダは、フレームごとに前記第１マルチチャネル変換を変更することを特徴とする請求項１０に記載の方法。
【請求項１３】
オーディオデコーダにおいて、コンピュータにより実施される方法であって、
エンコードされたマルチチャネルオーディオデータを受け取ることと、
前記オーディオデータをデコードし、デコードされた時間領域オーディオデータを作ることと、
前記デコードされたオーディオデータに対して後処理マルチチャネル変換を実行し、ここで前記デコーダが、複数の異なる目的のいずれかのために前記変換を使用することと
を含むことを特徴とする方法。
【請求項１４】
前記デコーダは、前記変換を用いて１つまたは複数のファントム（幻）チャネルを構成することを特徴とする請求項１３に記載の方法。
【請求項１５】
前記１つまたは複数のファントムチャネルは、ファントム中央チャネルを含むことを特徴とする請求項１４に記載の方法。
【請求項１６】
前記デコーダは、前記変換を用いて立体感を実行することを特徴とする請求項１３に記載の方法。
【請求項１７】
前記デコーダは、前記変換を用いて、デコードされたチャネルよりも少数の出力チャネルに折り畳むことを特徴とする請求項１３に記載の方法。
【請求項１８】
前記デコーダは、オーディオシーケンス内で前記変換を変更することを特徴とする請求項１３に記載の方法。
【請求項１９】
前記デコーダは、単位行列および１つまたは複数の他の行列の間で選択することによって前記変換を変更することを特徴とする請求項１８に記載の方法。
【請求項２０】
前記デコーダは、フレームごとに前記変換を変更することを特徴とする請求項１８に記載の方法。
【請求項２１】
前記デコーダは、変遷全体にわたって前記変換に関する複数の行列をブレンド（混成）することを特徴とする請求項１８に記載の方法。
【請求項２２】
複数のフレームごとに、
前記変換を実行するか否かを示す情報を受け取ることと、
前記変換が実行される場合に、事前定義の行列またはカスタム行列のどちらを使用して前記変換を実行するか否かを示す情報を受け取ることと、
前記変換が前記カスタム行列を用いて実行される場合に、前記カスタム行列の要素を受け取ることと
をさらに含むことを特徴とする請求項１８に記載の方法。
【請求項２３】
オーディオエンコーダにおいて、コンピュータにより実施される方法であって、
マルチチャネルオーディオデータを受け取ることと、
異なるチャネルからの複数のウィンドウを１つまたは複数のタイルにグループ化することと、
前記１つまたは複数のタイルに関するタイル構成情報を出力することと
を含むことを特徴とする方法。
【請求項２４】
前記エンコーダは、同一の開始時刻および同一の停止時刻を有するウィンドウを単一のタイルにグループ化することを特徴とする請求項２３に記載の方法。
【請求項２５】
前記異なるチャネルは、第１チャネル、第２チャネル、および第３チャネルを含むことを特徴とし、前記第１チャネルは、第１ウィンドウおよび第２ウィンドウを含むことを特徴とし、前記第２チャネルは、前記第１チャネルの前記第１ウィンドウと時間的に同一位置のウィンドウを含むことを特徴とし、前記第３チャネルは、前記第１チャネルの前記第２ウィンドウと時間的に同一位置のウィンドウを含むことを特徴とし、前記第１チャネルの前記第１ウィンドウは、前記第２チャネルの前記ウィンドウと共に第１タイル内にあることを特徴とし、前記第１チャネルの前記第２ウィンドウは、前記第３チャネルの前記ウィンドウと共に第２タイル内にあることを特徴とする請求項２３に記載の方法。
【請求項２６】
前記出力することは、前記異なるチャネルのすべては同一のウィンドウ構成を有するか否かを示す信号を送ることを含むことを特徴とする請求項２３に記載の方法。
【請求項２７】
前記出力することは、前記異なるチャネルのすべては同一のウィンドウ構成を有する場合に、複数のタイルサイズを送ることをさらに含むことを特徴とする請求項２６に記載の方法。
【請求項２８】
前記出力することは、前記異なるチャネルのすべては同一のウィンドウ構成を有しない場合に、１つまたは複数のチャネルマスクおよび複数のタイルサイズを送ることをさらに含むことを特徴とする請求項２６に記載の方法。
【請求項２９】
オーディオエンコーダにおいて、コンピュータにより実施される方法であって、
複数のチャネルでオーディオデータを受け取ることであって、ここで前記複数のチャネ
ルが、第１チャネル、第２チャネル、および第３チャネルを含み、
前記オーディオデータを複数のウィンドウに区分することと、
前記複数のウィンドウを複数のグループにグループ化することであって、ここで前記複数のグループが、第１グループおよび第２グループを含み、前記第１チャネルおよび前記第２チャネルは、前記第１グループのメンバであるが、前記第３チャネルは、前記第１グループのメンバでないことと、前記第１チャネルおよび前記第３チャネルは、前記第２グループのメンバであるが、前記第２チャネルは、前記第２グループのメンバでないことと、
前記複数のグループに関する構成情報を出力することと
を含むことを特徴とする方法。
【請求項３０】
前記エンコーダは、前記複数のチャネルのそれぞれの前記オーディオデータを独立に区分することを特徴とする請求項２９に記載の方法。
【請求項３１】
前記エンコーダは、同一の開始時刻および同一の停止時刻を有するウィンドウを前記複数のグループのうちの単一のグループにグループ化することを特徴とする請求項２９に記載の方法。
【請求項３２】
前記複数のグループの第３グループは、３つ以上のチャネルからのウィンドウを含むことを特徴とする請求項２９に記載の方法。
【請求項３３】
前記エンコーダは、前記オーディオデータの所与のフレームに関する前記グループ化の開始前に、前記所与のフレームに関する前記区分を完了することを特徴とする請求項２９に記載の方法。
【請求項３４】
前記エンコーダは、前記オーディオデータの所与のフレームに関して前記区分および前記グループ化を同時に実行することを特徴とする請求項２９に記載の方法。
【請求項３５】
オーディオデコーダにおいて、コンピュータにより実施される方法であって、
複数のチャネルでエンコードされたオーディオデータを受け取ることと、
１つまたは複数のタイルに関するタイル構成情報を検索することと、
前記検索されたタイル構成情報に少なくとも部分的に基づいて前記オーディオデータをデコードすることと
を含むことを特徴とする方法。
【請求項３６】
前記１つまたは複数のタイルのそれぞれは、同一の開始時刻および同一の停止時刻を有する１つまたは複数のウィンドウを含むことを特徴とする請求項３５に記載の方法。
【請求項３７】
前記タイル構成情報は、タイルサイズおよびチャネルメンバ情報を含むことを特徴とする請求項２３または３５に記載の方法。
【請求項３８】
前記検索することは、前記複数のチャネルのすべては同一のウィンドウ構成を有するか否かを示す信号を入手することを含むことを特徴とする請求項３５に記載の方法。
【請求項３９】
前記検索することは、前記複数のチャネルのすべては同一のウィンドウ構成を有する場合に、複数のタイルサイズを入手することをさらに含むことを特徴とする請求項３８に記載の方法。
【請求項４０】
前記検索することは、前記複数のチャネルのすべては同一のウィンドウ構成を有しない場合に、１つまたは複数のチャネルマスクおよび複数のタイルサイズを入手することをさらに含むことを特徴とする請求項３８に記載の方法。
【請求項４１】
オーディオエンコーダにおいて、コンピュータにより実施される方法であって、
マルチチャネルオーディオデータを受け取ることと、
量子化帯域に従って雑音を整形するために前記オーディオデータに重みづけすることと、
前記重みづけの後に、前記重みづけされたオーディオデータに対してマルチチャネル変換を実行することと、
前記マルチチャネル変換の後に、前記オーディオデータを量子化することと
を含むことを特徴とする方法。
【請求項４２】
前記マルチチャネル変換の前に、前記オーディオデータにチャネルごとの重みを適用することをさらに含むことを特徴とする請求項４１に記載の方法。
【請求項４３】
オーディオデコーダにおいて、コンピュータにより実施される方法であって、
エンコードされたマルチチャネルオーディオデータを受け取ることと、
前記オーディオデータに対して逆マルチチャネル変換を実行することと、
前記逆マルチチャネル変換の後に、組み合わされたステップで逆重みづけおよび逆量子化を実行することと
を含むことを特徴とする方法。
【請求項４４】
複数の係数のそれぞれについて、前記組み合わされたステップは、全体的な量子化の量による単一の乗算を含むことを特徴とする請求項４３に記載の方法。
【請求項４５】
前記組み合わされたステップは、さらに、チャネルごとの重みで因数分解することを特徴とする請求項４３に記載の方法。
【請求項４６】
オーディオデコーダにおいて、コンピュータにより実施される方法であって、
エンコードされたマルチチャネルオーディオデータを受け取ることと、
前記オーディオデータに対して逆マルチチャネル変換を実行することと、
前記逆マルチチャネル変換の後に、逆重みづけ変換、逆量子化変換、および逆周波数変換を実行することと
を含み、１つまたは複数のチャネルが、前記マルチチャネルオーディオデータから捨てられる
ことを特徴とする方法。
【請求項４７】
前記１つまたは複数のチャネルが、計算の複雑さを減らすために捨てられることを特徴とする請求項４６に記載の方法。
【請求項４８】
エンコーダは、前記１つまたは複数のチャネルを捨てることを特徴とする請求項４６に記載の方法。
【請求項４９】
前記デコーダは、前記逆周波数変換を実行した後に、前記１つまたは複数のチャネルを捨てることを特徴とする請求項４６に記載の方法。
【請求項５０】
前記デコーダは、前記逆マルチチャネル変換を実行する後だが、前記逆周波数変換を実行する前に、前記１つまたは複数のチャネルを捨てることを特徴とする請求項４６に記載の方法。
【請求項５１】
前記デコーダは、チャネルごとの量子化ステップ変更子を適用することを特徴とする請求項５０に記載の方法。
【請求項５２】
オーディオエンコーダにおいて、コンピュータにより実施される方法であって、
マルチチャネルオーディオデータを受け取ることと、
マルチチャネル変換のために前記マルチチャネルオーディオデータの複数のチャネルを複数のチャネルグループに選択的にグループ化することであって、ここで前記エンコーダが、前記複数のチャネルをオーディオシーケンス内の異なる時刻に異なってグループ化することと、
前記複数のチャネルグループの１つまたは複数のそれぞれの前記オーディオデータに対してマルチチャネル変換を実行することと
を含むことを特徴とする方法。
【請求項５３】
前記複数のチャネルグループのそれぞれは、関連するマルチチャネル変換を有することを特徴とする請求項５２に記載の方法。
【請求項５４】
前記エンコーダは、チャネル相関に少なくとも部分的に基づいて前記複数のチャネルを選択的にグループ化することを特徴とする請求項５２に記載の方法。
【請求項５５】
前記エンコーダは、全体および指定された周波数帯域で前記チャネル相関を計算することを特徴とする請求項５４に記載の方法。
【請求項５６】
１つまたは複数のチャネルマスクを出力することをさらに含むことを特徴とする請求項５２に記載の方法。
【請求項５７】
オーディオデコーダにおいて、コンピュータにより実施される方法であって、
複数のチャネルでエンコードされたオーディオデータを受け取ることと、
逆マルチチャネル変換のために前記複数のチャネルの複数のチャネルグループに関する情報を検索することであって、ここで前記複数のチャネルが、オーディオシーケンス内の異なる時刻に異なってグループ化されていることと、
前記複数のチャネルグループの１つまたは複数のそれぞれの前記オーディオデータに対して逆マルチチャネル変換を実行することと
を含むことを特徴とする方法。
【請求項５８】
前記複数のチャネルは、２つのチャネルからなることを特徴とする請求項３５または５７に記載の方法。
【請求項５９】
前記複数のチャネルは、２つを超えるチャネルからなることを特徴とする請求項３５または５７に記載の方法。
【請求項６０】
前記複数のチャネルグループのそれぞれは、１つまたは複数のチャネルを含むことを特徴とする請求項５２または５７に記載の方法。
【請求項６１】
前記複数のチャネルグループの少なくとも１つは、３つ以上のチャネルを含むことを特徴とする請求項５２または５７に記載の方法。
【請求項６２】
タイルは、前記複数のチャネルグループの１つまたは複数を含むことを特徴とする請求項５２または５７に記載の方法。
【請求項６３】
前記検索された情報は、１つまたは複数のチャネルマスクを含むことを特徴とする請求項５７に記載の方法。
【請求項６４】
オーディオエンコーダにおいて、コンピュータにより実施される方法であって、
マルチチャネルオーディオデータを受け取ることと、
複数のステージで複数のマルチチャネル変換の階層に従って前記オーディオデータを変換することと、
複数のマルチチャネル変換の前記階層に関する情報を出力することと
を含むことを特徴とする方法。
【請求項６５】
前記複数のステージのそれぞれは、１つまたは複数の前記変換を含むことを特徴とする請求項６４に記載の方法。
【請求項６６】
前記エンコーダは、前記変換を選択することを特徴とする請求項６４に記載の方法。
【請求項６７】
チャネルグループは、前記複数のステージの少なくとも２つで同一であることを特徴とする請求項６４に記載の方法。
【請求項６８】
チャネルグループは、前記複数のステージの少なくとも２つで異なることを特徴とする請求項６４に記載の方法。
【請求項６９】
前記出力される情報は、チャネルグループ情報および変換情報を含むことを特徴とする請求項６４に記載の方法。
【請求項７０】
前記複数のステージは、２つのステージからなることを特徴とする請求項６４に記載の方法。
【請求項７１】
前記階層は、他の変換と比較して計算の複雑さを減らしながら、別の変換をエミュレートすることを特徴とする請求項６４に記載の方法。
【請求項７２】
前記変換の少なくとも１つは、恒等変換であることを特徴とし、前記変換の少なくとも１つは、複数の行列に因数分解された一般的なユニタリ変換であることを特徴とする請求項６４に記載の方法。
【請求項７３】
オーディオデコーダにおいて、コンピュータにより実施される方法であって、
エンコードされたマルチチャネルオーディオデータを受け取ることと、
複数のステージでの複数の逆マルチチャネル変換の階層に関する情報を検索することと、
前記複数の逆マルチチャネル変換の前記階層に従って前記オーディオデータを変換することを含む、前記オーディオデータをデコードすることと
を含むことを特徴とする方法。
【請求項７４】
チャネルグループは、前記複数のステージの少なくとも２つで同一であることを特徴とする請求項７３に記載の方法。
【請求項７５】
チャネルグループは、前記複数のステージの少なくとも２つで異なることを特徴とする請求項７３に記載の方法。
【請求項７６】
前記複数のステージは、第１ステージおよび第２ステージからなることを特徴とし、前記検索することは、
（ａ）ビットを入手することと、
（ｂ）前記第１ステージにこれ以上変換はないことを前記ビットは示す場合に、ステップ（ｃ）に継続し、そうでない場合に、前記第１ステージでの変換に関する変換情報を入手し、新しいビットを入手し、前記新しいビットを用いてステップ（ｂ）を繰り返すことと、
（ｃ）前記第２ステージでの１つまたは複数の変換に関する変換情報を入手することと  を含むことを特徴とする請求項７３に記載の方法。
【請求項７７】
前記変換情報の少なくともいくつかと共にチャネルグループ情報を入手することをさらに含むことを特徴とする請求項７６に記載の方法。
【請求項７８】
オーディオエンコーダにおいて、コンピュータにより実施される方法であって、
マルチチャネルオーディオデータを受け取ることと、
マルチチャネル変換の複数の使用可能なタイプの中からマルチチャネル変換を選択することと、
複数の周波数帯域で前記選択された変換を選択的にオン／オフにすることと、
前記複数の周波数帯域のうちで前記選択された変換がオンである１つまたは複数の周波数帯域で前記オーディオデータに対して前記選択された変換を実行することであって、ここで前記エンコーダが、前記複数の周波数帯域のうちで前記選択された変換がオフである１つまたは複数の周波数帯域で前記オーディオデータに対して変換を実行しないか恒等変換を実行することと
を含むことを特徴とする方法。
【請求項７９】
前記複数の周波数帯域ごとに１ビットを含むマスクを出力することをさらに含むことを特徴とする請求項７８に記載の方法。
【請求項８０】
単一ビットと、前記選択された変換が前記複数の周波数帯域のすべてでオンにされない場合に前記複数の周波数帯域のそれぞれについて１ビットを含むマスクとを出力することをさらに含むことを特徴とする請求項７８に記載の方法。
【請求項８１】
前記エンコーダは、前記複数の周波数帯域でのチャネル相関測定値に少なくとも部分的に基づいて前記選択された変換を選択的にオン／オフにすることを特徴とする請求項７８に記載の方法。
【請求項８２】
オーディオデコーダにおいて、コンピュータにより実施される方法であって、
エンコードされたマルチチャネルオーディオデータを受け取ることと、
逆マルチチャネル変換の複数の使用可能なタイプの中から逆マルチチャネル変換を選択することと、
複数の周波数帯域について周波数帯域オン／オフ選択に関する情報を検索することと、
前記複数の周波数帯域のうちで前記選択された変換がオンである１つまたは複数の周波数帯域で前記オーディオデータに対して前記選択された変換を実行することであって、ここで前記エンコーダが、前記複数の周波数帯域のうちで前記選択された変換がオフである１つまたは複数の周波数帯域で前記オーディオデータに対して変換を実行しないか恒等変換を実行することと
を含むことを特徴とする方法。
【請求項８３】
前記検索された情報は、前記複数の周波数帯域のそれぞれについて１ビットを含むマスクを含むことを特徴とする請求項８２に記載の方法。
【請求項８４】
前記検索された情報は、単一ビットと、前記選択された変換が前記複数の周波数帯域のすべてでオンにされない場合に前記複数の周波数帯域のそれぞれについて１ビットを含むマスクとを含むことを特徴とする請求項８２に記載の方法。
【請求項８５】
オーディオエンコーダにおいて、コンピュータにより実施される方法であって、
マルチチャネルオーディオデータを受け取ることと、
マルチチャネル変換の複数の使用可能なタイプの中からマルチチャネル変換を選択することであって、ここで前記複数の使用可能なタイプが、３つ以上の事前定義の変換を含むことと、
前記オーディオデータに対して前記選択された変換を実行することと
を含むことを特徴とする方法。
【請求項８６】
前記複数の使用可能なタイプは、さらに、一般的なユニタリ変換を含むことを特徴とする請求項８５に記載の方法。
【請求項８７】
前記選択された変換を示す情報を出力することをさらに含むことを特徴とする請求項８５に記載の方法。
【請求項８８】
オーディオエンコーダにおいて、コンピュータにより実施される方法であって、
マルチチャネルオーディオデータを受け取ることと、
マルチチャネル変換の複数の使用可能なタイプの中からマルチチャネル変換を選択することであって、ここで前記複数の使用可能なタイプが、複数の事前定義の変換および少なくとも１つのカスタム変換を含むことと、
前記オーディオデータに対して前記選択された変換を実行することと
を含むことを特徴とする方法。
【請求項８９】
前記選択された変換を示す情報を出力することをさらに含むことを特徴とする請求項８８に記載の方法。
【請求項９０】
前記出力される情報は、前記選択された変換の個々の要素に関する情報を含むことを特徴とする請求項８９に記載の方法。
【請求項９１】
前記選択された事前定義の変換の性能は、冗長性除去に関して前記カスタム変換の性能に適当に近い場合に、前記エンコーダは、前記複数の事前定義の変換の１つを選択することを特徴とする請求項８８に記載の方法。
【請求項９２】
オーディオデコーダにおいて、コンピュータにより実施される方法であって、
エンコードされたマルチチャネルオーディオデータを受け取ることと、
逆マルチチャネル変換の複数の使用可能なタイプの中から逆マルチチャネル変換を選択することであって、ここで前記複数の使用可能なタイプが、３つ以上の事前定義の変換を含むことと、
前記オーディオデータに対して前記選択された変換を実行することと
を含むことを特徴とする方法。
【請求項９３】
前記事前定義の変換は、恒等変換と、ＤＣＴ変形形態変換およびアダマール変換の１つまたは複数とを含むことを特徴とする請求項８５または９２に記載の方法。
【請求項９４】
前記選択の前に、前記選択された変換を示す情報を検索することをさらに含むことを特徴とする請求項９２に記載の方法。
【請求項９５】
前記複数の使用可能なタイプは、さらに、カスタム変換を含むことを特徴とし、前記検索される情報は、前記カスタム変換を選択するための１つまたは複数の信号を含むことを特徴とし、前記検索される情報は、前記カスタム変換の個々の要素に関する情報をさらに含むことを特徴とする請求項９４に記載の方法。
【請求項９６】
オーディオデコーダにおいて、コンピュータにより実施される方法であって、
エンコードされたマルチチャネルオーディオデータを受け取ることと、
逆マルチチャネル変換の複数の使用可能なタイプの中から逆マルチチャネル変換を選択することであって、ここで前記複数の使用可能なタイプが、複数の事前定義の変換および少なくとも１つのカスタム変換を含むことと、
前記オーディオデータに対して前記選択された変換を実行することと
を含むことを特徴とする方法。
【請求項９７】
前記選択の前に、前記選択された変換を示す情報を検索することをさらに含むことを特徴とする請求項９６に記載の方法。
【請求項９８】
前記検索される情報は、前記カスタム変換を選択するための１つまたは複数の信号を含み、特に前記検索される情報は、前記カスタム変換の個々の要素に関する情報をさらに含むことを特徴とする請求項９７に記載の方法。
【請求項９９】
オーディオエンコーダにおいて、コンピュータにより実施される方法であって、
マルチチャネルオーディオデータを受け取ることと、
マルチチャネル変換に関する任意のユニタリ変換行列を計算することと、
前記任意のユニタリ変換行列を複数の回転行列および符号行列に因数分解することと、
前記オーディオデータに対して前記因数分解された変換を実行することと、
前記因数分解された変換に関する情報を出力することと
を含むことを特徴とする方法。
【請求項１００】
オーディオデコーダにおいて、コンピュータにより実施される方法であって、
エンコードされたマルチチャネルオーディオデータを受け取ることと、
任意のユニタリ逆変換行列の因数分解された変換に関する情報を検索することと、
前記オーディオデータに対して前記因数分解された変換を実行することと
を含むことを特徴とする方法。
【請求項１０１】
前記マルチチャネルオーディオデータは、２つのチャネルになっていることを特徴とする請求項１，１０，１３，２３，４１，４３，５２，６４，７３，７８，８２，８５，８８，９２，９６，９９、および１００のいずれかの項に記載の方法。
【請求項１０２】
前記マルチチャネルオーディオデータは、２つを超えるチャネルになっていることを特徴とする請求項１，１０，１３，２３，４１，４３，４６，５２，６４，７３，７８，８２，８５，８８，９２，９６，９９、および１００のいずれかの項に記載の方法。
【請求項１０３】
前記検索される情報は、複数の回転行列の角度および符号行列の符号を含むことを特徴とする請求項９９または１００に記載の方法。
【請求項１０４】
前記角度が、６ビット精度で量子化されることを特徴とする請求項１０３に記載の方法。
【請求項１０５】
コンピュータ実行可能命令を保管し、それによってプログラムされたコンピュータに請求項１，１０，１３，２３，２９，３５，４１，４３，４６、５２，５７，６４，７３，７８，８２，８５，８８，９２，９６，９９、および１００のいずれかの項に記載の方法を実行させることを特徴とするコンピュータ可読メディア。